(57)【特許請求の範囲】
【請求項１】
弾性素材から形成された複数のシートを備え、前記複数のシートの接合によって形成された気密性の上袋体部の内部へ気体を注入して膨張させることにより、上半身を模した形状となる空気注入式マネキンであって、
胸部中心部にて互いに接合され前記上半身の前面側を形成する左部シートと右部シートとを有し、
前記左部シートと前記右部シートとは、それぞれ、上下方向に延びるように乳部の頂部に配された帯状の乳部用マチと、前記乳部よりも内側に位置する内シートと、前記乳部よりも外側に位置する外シートと、を有し、
前記乳部用マチと前記内シートとを接合する内接合ラインと、前記乳部用マチと前記外シートとを接合する外接合ラインとの両者は、上下方向に延びるとともに、前記乳部の頂部に向かって突出する湾曲部を中途部分に有することを特徴とする空気注入式マネキン。
【請求項２】
前記上袋体部の胴部と前記下袋体部の胴部とが互いに結合可能なことを特徴とする請求項１記載の空気注入式マネキン。
【請求項３】
前記上袋体部の内部にて上下方向に延び、一端が胸側と接合し、他端が背側と接合する胸部用中吊りを備えることを特徴とする請求項１または２記載の空気注入式マネキン。
【請求項４】
弾性素材から形成された複数のシートを備え、前記複数のシートの接合によって形成された気密性の下袋体部の内部へ、気体を注入して膨張させることにより、下半身を模した形状となる空気注入式マネキンであって、
左大腿部を形成する左大腿部シートと、
右大腿部を形成する右大腿部シートと、
前記左大腿部シートと前記右大腿部シートとの間に配されるとともに前記左大腿部シートと前記右大腿部シートとを接合し、腰の前部分から股を経由して前記腰の背部分まで延びた帯状の股部マチと、を備え、
前記股部マチと前記左大腿部シートとを接合する左接合ラインと、前記股部マチと前記右大腿部シートとを接合する右接合ラインとの両者は、それぞれ、前記腰の前部分から股を経由して前記腰の背部分まで延びるように湾曲していることを特徴とする空気注入式マネキン。
【請求項５】
前記下袋体部の内部にて、前記腰の前部分から前記腰の背部分まで延びる股上用中吊りを備えることを特徴とする請求項４記載の空気注入式マネキン。
【請求項６】
請求項１ないし３のうちいずれか１項記載の前記上袋体部と、
前記上袋体部とは別に形成され、請求項４または５に記載の前記下袋体部と、を備えたことを特徴とする空気注入式マネキン。
【発明の詳細な説明】
【技術分野】
【０００１】
本発明は衣料品売り場や展示会場で使用される空気注入式マネキン（エアマネキン）およびその製造方法に関する。
【背景技術】
【０００２】
従来の空気注入式マネキンとして、特許文献１に記載される技術がある。この特許文献１に記載の空気注入式マネキンは、運搬、在庫時には内部の空気を抜いた状態として運搬取り扱いに便となるようにし、展示時には空気を充填してマネキンを膨張させて使用するようにしている。ところが、係る特許文献１に記載のマネキンでは、女性用のマネキン特有の問題である胸部の形態、特に、左右の乳房周辺の自然で美しいボデーラインを呈する技術的工夫を開示したものではない。
【０００３】
上記女性用マネキンとしては、例えば、図１５に示されるものが知られている。すなわち、この女性用マネキンは、軟質の熱硬化性樹脂素材シートを所定部位毎に裁断し、これら各裁断シートを、高周波や熱溶着によって接合していくことより、上半身と下半身とを一体に成形して構成される。該マネキンは、空気弁から空気が充填されて膨張され、所定の女性用のボデー形態を呈するマネキンが形成され、これに女性用衣類、衣服等を着服させることにより、展示会場で使用される。
【０００４】
なお、空気注入式マネキンとして特許文献２が，また、空気注入式の人形造形物として特許文献３があるが、いずれも袋体に空気を注入して膨張させる形態の構成を有するに過ぎない。
【特許文献１】特開２００３−３１９８５７号公報
【特許文献２】特開２００２−３４６２９２号公報
【特許文献３】特開２０００−３４２８５９号公報
【発明の開示】
【発明が解決しようとする課題】
【０００５】
しかしながら、上記女性用マネキンにあっては、裁断シートを単に溶着する構成であるため、図１５の点線で図示するように、乳部およびその近傍の膨らみ量が少なく、また、溶着作業工程上、どうしてもバスト部分、具体的には左右乳頭が互いに外側へ離反する方向に拡がり、その結果、リアルで自然な女性特有の胸回りの体型表現を醸し出すことが困難となる問題があった。この結果、上記マネキンでは、衣装の商品性評価を正当に得るのが難しいという問題があった。
【０００６】
本発明は上記問題点を克服することに鑑みて工夫されたもので、自然でリアルな体型表現を可能とし、着衣させたマネキンを見る者に衣装の商品イメージをなんら損なうことがないようにした空気注入式マネキンを提供することを目的とする。
【課題を解決するための手段】
【０００７】
上記の目的を達成するために、本発明は次のような構成を採用することとした。すなわち、（１）本発明は、ビニール、ポリプロピレン等の弾性素材で成る複数枚のシートを接合して気密性を有する上袋体部を形成すると共に、該上袋体部内に空気を注入して膨張させることにより上半身の体型に模したマネキンが形成される空気注入式マネキンにおいて、前記上袋体部のベース部を形成するシートに対して、湾曲した接合ラインによりマチを連結したことを特徴とする。
【０００８】
また（２）本発明は、ビニール、ポリプロピレン等の弾性素材で成る複数枚のシートを接合して気密性を有する下袋体部を形成すると共に、該下袋体部内に空気を注入して膨張させることにより下半身の体型に模したマネキンが形成される空気注入式マネキンにおいて、前記下袋体部のベース部を形成するシートに対して、湾曲した接合ラインによりマチを連結したことを特徴とする。
【０００９】
更に（３）本発明は、ビニール、ポリプロピレン等の弾性素材で成る複数枚のシートを接合して気密性を有する袋体を形成すると共に、該袋体内部に空気を注入して膨張させることにより上半身と下半身の体型に模したマネキンが形成される空気注入式マネキンにおいて、前記袋体を、上半身を模造する上袋体部と、下半身を模造する下袋体部とに分割形成し、前記上袋体部および下袋体部のベース部を形成するシートに対して、湾曲した接合ラインによりマチを連結したことを特徴とする。
【００１０】
これら（１）〜（３）の本発明によれば、上袋体部および下袋体部のベース部を形成するシートに、マチを接合ラインにより介在させて連結しているので、空気の注入により膨張するマネキンは立体的かつ自然な起伏に富んだ体型ラインを模造した空気注入式マネキンを得ることができ、これに衣服を着衣させた場合には、商品性の見栄え向上が図れ、ブランドイメージを保持できるようになる。
【００１１】
（４）本発明はまた、前記上袋体部の胴部と、前記下袋体部の胴部とを互いに結合することにより、前記マネキンが形成されるように構成したことを特徴とする（３）記載の空気注入式マネキンである。
【００１２】
これによれば、上袋体部と下袋体部とに分けてマネキンのパーツを形成するようにしたので、上半身および下半身とも立体的かつ自然な体型表現を模したマネキンを得ることができるようになる。
【００１３】
（５）本発明はまた、前記マチは、所定幅の寸法を有する帯状の胸部用マチとして形成され、前記上袋体部における少なくとも胸の頂部を上下方向に通過するように配置されたことを特徴とする（１）乃至（４）のいずれか一項に記載の空気注入式マネキンである。
【００１４】
これによれば、胸部用マチを設けることで胸部、すなわち乳頭が外方へ向くのを回避しながらも、旨の膨らみを効果的に強調でき、自然な女性らしさを表現したマネキンを得ることができるようになる。
【００１５】
（６）本発明はまた、前記上袋体部の内部に、胸の中心と背筋との間に介装され、かつ、上下方向に沿って接合配置した胸部用中吊りを設けたことを特徴とする（１）乃至（５）のいずれか一項に記載の空気注入式マネキンである。
【００１６】
これによれば、胸部用中吊りが存在することで、胸部の中心が内側に引き込まれるので、左右の乳部が互いに外方に向くのを更に低減し、みぞおち（谷間）が深く、背筋に窪みを有するマネキンを得ることができるようになる。
【００１７】
（７）本発明はまた、前記マチは、所定幅寸法を有する帯状の股上用マチとして形成され、前記下袋体部における左右大腿部間の股を通過し、かつ、正面と背面とに亘る股上に挿入して接合配置したことを特徴とする（１）乃至（６）のいずれか一項に記載の空気注入式マネキンである。
【００１８】
これによれば、左右大腿部の股間に幅を形成することができ、下着やパンツをはかせた場合に、股下のラインを美しく表現することができる。
【００１９】
（８）本発明はまた、前記下袋体部の内部に、前記股上の少なくとも前記正面と前記背面との間に、股上用中吊りを接合配置したことを特徴とする（１）乃至（７）のいずれか一項に記載の空気注入式マネキンである。
【００２０】
これによれば、股上用中吊りが存在することで、臀部の形を損なうことがなく、被着されるパンツのシルエットがきれいに見えるようになる。
【００２１】
（９）本発明はまた、（１）〜（８）のいずれか一項に記載の空気注入式マネキンの製造方法であって、ビニール、ポリプロピレン等の弾性素材で成る複数枚のシートが接合用治具を使用して接合されることにより、気密性を有する袋体に形成されることを特徴とする。
【００２２】
これによれば、接合用治具を用いてマネキンを制作するので、湾曲形状を成すマチでも容易に接合して設けることができるようになる。
【００２３】
（１０）本発明はまた、前記接合用治具は、前記マチを接合するための湾曲した接合ラインを有するマチ接合用治具と、前記マネキンの外形形状を画成する外形ラインを有する外形ライン画成用治具とを備えて構成されることを特徴とする（９）記載の空気注入式マネキンの製造方法である。
【００２４】
これによれば、マチ接合用治具と、外形ライン画成用治具とを用いて容易にシートを接合し、マネキンを制作できるようになる。
【００２５】
（１１）本発明はまた、前記マチ接合用治具および前記外形ライン画成用治具は、の前記シートに接合する側に、カッターが形成されていることを特徴とする（１０）記載の空気注入式マネキンの製造方法である。
【００２６】
これによれば、高周波や熱融着等によってシートを接合するときに、カッターにより余分な部分が裁断されるので、効率的にマネキンを制作できるようになる。
【発明の効果】
【００２７】
本発明によれば、外観体裁が体型に似たマネキンを模造することができ、マネキンに着衣させた場合に、衣服の商品性アピールに向上できる。また、弾性素材シートでマネキンを形成しているので、従来の成型品でなるマネキンに比べて、はるかに軽量かつ柔らかく、店頭ディスプレイでは不可能であった店頭の天井や壁面等をディスプレイスペースとして使える。また、成型マネキンよりも安価で、運送費、保管費等コスト削減に有利となる。
【発明を実施するための最良の形態】
【００２８】
以下、本発明に係る空気注入式マネキンの一実施形態を、図〜図３を参照して詳述する。図１は空気注入式マネキン１（以下、単に「マネキン」ともいう）の完成品を示す外観斜視図、図２は上半身の体型に模した上袋体部２に係り、（ａ）は上袋体部２の外観斜視図、（ｂ）は上袋体部２を側面からみた透視断面図、（ｃ）は（ｂ）のＡ−Ａ線における断面図、図３は下袋体部３に係り、（ａ）は下袋体部３を斜め前方からみた外観斜視図、（ｂ）は下袋体部３を斜め後方からみた外観斜視図、（ｃ）は下袋体部３を側面からみた透視断面図である。なお、本実施形態においては、女性用のマネキン１に適用した場合を例に挙げて説明する。
【００２９】
空気注入式マネキン１は、生地としてはビニール、ポリプロピレン等の弾性素材が使用され、上半身および下半身の各パーツ毎に裁断された複数枚のシートを高周波接合手段により接合（以下、「接着」ともいう）し、気密性を有する袋体に形成される。この袋体は、上半身を模造する上袋体部２と、下半身を模造する下袋体部３とに分割して形成される。各袋体２，３に空気注入バルブ４（下袋体部３については不図示）から空気を注入して膨張させ、上袋体部２の胴部と、下袋体部３の胴部６とを互いに適宜の接着剤、または高周波接合等により結合して一体化することでマネキン１が製造される。以下、マネキン１の構成をより具体的に説明することとし、その製造方法については後述する。
【００３０】
上袋体部２は前部シート７と後部シート（背部シート）８とで成り、前部シート７は、左半部シート９と、右半部シート１０とで形成され、後部シート８は、一枚のシートで形成される。左半部シート９と右半部シート１０は左右対称な形状に形成される。左右の各半部シート９，１０は、胸部の中心側に位置する内側シート１１と、外側に位置する外側シート１２と、内外側両シート（これらを「ベース部」という）１１，１２の間に所定の幅寸法を有する帯状のマチ（以下、「胸部用マチ」ともいう）１３との各パーツシートを有し、これら各シート１１，１２，１３が互いに接合され、各半部シート９，１０が形成される。各半部シート９，１０は胸部中心ラインＬで互いに接合されて前部シート７が形成される。上記マチ１３は、胸（乳部）の頂部を上下方向に通過するように配置され、胸部を形良く隆起させるようにするものである。
【００３１】
一方、上袋体部２の内部には、胸部用中吊り１７が接合されている。シート状の胸部用中吊り１７は、図２（ｂ）、同（ｃ）に示されるように、胸の中心と背筋との間に介装され、かつ、胸部中心ラインＬ、すなわち上下方向に沿って設けられている。
【００３２】
係る前部シート７は、後部シート８と接合されてマネキン１の外形形状が画成されると共に、首部、肩口、および胴部では、接合ラインが裁断され、そこに、後述するリング掛けにより蓋用シート１４，１５，１６が接合される。こうして、気密性を保持する上袋体部２としての袋体が形成されることとなる。
【００３３】
上袋体部２に空気を充填して膨張させると、図２に示すように、内側シート１１とマチ１３との間に接合ラインＬ１、外側シート１２とマチ１３との間に接合ラインＬ２が上下方向に形成される。
【００３４】
こうして、マチ１３の存在により、胸部周りのボリューム感を出すことができ、女性らしさを表現することが可能となる。また、空気注入時には、胸部用中吊り１７の存在により、胸部中心ラインＬと背筋とが胸部用中吊り１７を介して互いに引っ張られるので、上記のマチ１３との相乗効果により胸部の頂点が外方へ向いて拡がるのを抑制しつつ、深い胸の谷間（みぞおち）を醸し出すことができる。さらに、後部シート８の中心部位に、背筋に相当する窪みが形成される。こうして、上袋体部２は女性の自然で、見栄えのよい胸部を強調した上半身を模造できるようになる。
【００３５】
下袋体部３は、上記の上袋体部２と同様にして高周波接合手段により、気密性を備えた袋体として形成される。下袋体部３には、本発明に特徴的な要素である股上用マチと股上用中吊りとが接合される。すなわち、図３に示すように、所定の幅寸法を有して帯状に形成された股上用マチ２０が、下袋体部３のベース部を形成する左右大腿部シート２１，２２の間の股上に沿って設けられる。換言すると、股上用マチ２０は前部（正面）と背面（後部）とに亘る股間に沿ってほぼＵ字状に挿入され、股上用マチ２０の両側に左大腿部シート２１と右大腿部シート２２とが接合ラインＬ４に沿って接合される。この股上用マチ２０を設けることで、下袋体部３へ空気を注入して膨張させたときに、下袋体部３左大腿部シート２１と右大腿部シート２２との間の股間に十分なスペースが形成されるようになる。
【００３６】
また、下袋体部３の内部には、図３（ｃ）のハッチングで示すように、股上の少なくとも正面と背面との間に、シート状の股上用中吊り２３が接合配置されている。これにより、股上の前部側と後部側とは、股上用中吊り２３を介して引っ張られるので、図３（ｂ）のように、股上用マチ２０の存在とも相まって左右の臀部をめりはり良く強調できるようになる。なお、股上用中吊り２３の下縁をＵ字状に形成し、股上用マチ２０の股間Ｒ部２４に接合するようにしてもよい。
【００３７】
こうして、下袋体部３は、左右の大体部シート２１，２２に、股上用マチ２０と股上用中吊り２３とを接合し、胴部６、足部２５の開口部に蓋用シートをリング掛けにより接合することで、気密性を保持する袋体として形成され、空気を注入して膨張させることで、マネキン１の下袋体部３を模造することができる。
【００３８】
上記のように個別に模造された上袋体部２および下袋体部３は、胴部５，６で互いに結合することにより、図１に示すようなマネキン１が形成される。
【００３９】
次に、本発明のもう一つの技術的特徴である空気注入式マネキン１の製造方法を図４〜図１４に参照して説明する。なお、以下では、上袋体部２を製作する場合について説明する。マネキン１は高周波接合手段の要素である図４（ａ）に示すマチ接合用治具（以下、場合によっては「治具」または「型」ともいう）３０と、図１２（ａ）に示すマネキン１の外形形状を画成する外形ラインを備えた外形ライン画成用治具（以下、場合によっては「治具」または「型」ともいう）４１、４２とを用いて各シートが接合していくようになっている。
【００４０】
各治具３０，４１，４２は高周波接合装置５０（図５（ｂ）参照）に組み込まれている。なお、ここでは高周波接合装置を用いて素材同士を分子レベルで接合する場合を示すが、その外にも、超音波を用いた超音波溶着装置や、電熱等を利用した熱融着装置等、各種公知の接合技術を用いても良い。
【００４１】
接合用治具、すなわち型としての上記マチ接合用治具３０は、金属製の熱伝導性に優れた帯板状の治具であり、その途中に胸部の隆起に対応する湾曲した接合ラインとなるべき湾曲部３１が形成されている。また、接合部側には、ほぼ全長に亘ってカッター部３２が設けられ、重ねられたシートの上から治具を加圧して融着（接合）すると、双方のシートが接合（溶着または融着）されると同時に、不要となったシート部分を手で引っ張ることで容易に切り離しができるようになっている。
【００４２】
また、治具４１は首から腕に亘る肩部を画成するものであり、治具４２は脇腹の外形を画成する治具であり、これらは上記治具３０と同様に、カッター部４３，４４がその全長に亘って形成されている。なお、本実施形態においては、二部品４１，４２で外形ライン画成用治具を構成したが、両者４１，４２を一体に形成した形態としてもよい。
【００４３】
こうして、各治具３０，４１，４２等は溶着プレスと同時に、裁断機能を兼ね備えることとなる。
【００４４】
（左半部シートおよび右半部シートの接合）
図１に示す左半部シート９の製造は、図４（ａ）に示されるように、段取りとして、胸部用マチ１３となるシートを所定寸法に裁断する。次いで、図４（ｂ）のように、治具３０のカッター部３２に沿ってマチ１３を回り込ませる。余分な部分１３ａがカッター部３１の反対側の縁部に覆い被さることがないように、不図示のクリップ等で仮止めしていく。これにより、治具３０のカッター部３１と反対側の上端面は、図５（ｂ）の高周波接合装置５０が金属接触しながらプレスができるように露呈される。
【００４５】
治具３０と一体のマチ１３は、図５（ａ）に示すように、平板（不図示）面上で拡げられた外側シート１２の上に着座される。治具３０の上端面に高周波接合装置５０が押し当てられる。これにより、図６（ａ）に示すように、マチ１３は外側シート１２と一体に接合されると同時に、ハッチングで示される余分な個所がカッター部３２により自動的に裁断される。そして、マチ１３は図６（ｂ）のように、接合ラインＬ２を介して外側シート１２が接合される。
【００４６】
同様にして、図７（ａ）に示すように、接合ラインＬ２から所定幅寸法Ｄを隔てた位置にマチ１３に治具３０のカッター部３２が位置するように添える。図７（ｂ）のように、外側シート１２と一体のマチ１３を裏返した状態で、マチ１３の残余部分Ｂを、治具３０の長手方向に適宜の間隔で不図示のクリップ等を用いて仮止めし、治具３０の上端面から上方へはみ出さないようにして、内側シート１１に着座させる。この状態で、高周波接合装置５０を治具３０の上端面に金属接触させながらプレスする。これにより、マチ１３の上記残余部分Ｂおよび内側シート１１の残余部分Ｃは、同時に裁断されると共に、マチ１３が接合ラインＬ１を介して内側シート１１に一体化される。
【００４７】
こうして、図８（ａ）に示すように、マチ１３の両側縁に接合ラインＬ１、Ｌ２を介して内側シート１１と外側シート１２とが一体化された断面コ字状の左半部シート９が形成される。これを裏返すことで、同図（ｂ）に示す左半部シート９が得られる。内側シート１１と外側シート１２の平面を基準に考えると、接合ラインＬ１、Ｌ２はその平面方向に湾曲している。一方、マチ１３を基準に考えると、接合ラインＬ１、Ｌ２は、マチ１３自体を身体の前進方向に屈曲させる効果を有する。将来、これを膨らませる場合は、内側シート１１と外側シート１２が両外側に広がることになるが、この湾曲した接合ラインＬ１、Ｌ２の存在により、内側シート１１と外側シート１２の胸部に湾曲した余り部分Ｐが形成され、そこにマチ１３が配置されるので、胸の膨らみを美しく表現できることになる。
【００４８】
なお、上記の左半部シート９の場合と同様の手順により左半部シート９と左右対称な形状の右半部シート１０を制作することができる。
【００４９】
（前部シートの接合）
図９（ａ）のように、左半部シート９および右半部シート１０を展開し、胸部だけを膨出した状態となるように拡げ、各シート９，１０の内側シート１１における破線で示す胸部中心ラインＬに一致させて、両シート９，１０を接合する。この接合には、直線状の不図示の治具を用いて行われる。この結果、図９（ｂ）に示すように、左右両半部シート９，１０を接合した前部シート７が形成される。
【００５０】
（中吊りの形成と接合）
図１０（ａ）のように、一枚のシート１７を二つ折りにし、折り目の片方の上から湾曲した形状を有する治具４５をあてがい、同図（ｂ）のように上記と同様の方法で高周波接合装置５０により折り目近傍の一部を互いに摘むようにして接合し、ハッチング部分を裁断する。こうして得られたシート１７を拡げて、同図（ｃ）に示すような胸部用中吊り１７が制作される。中吊り１７の摘まれて接合された部位１７ａは、そうでない部位１７ｂに比べて幅寸法が短く形成されている。こうして、摘まれた部位１７ａ側は首部に、そうでない部位１７ｂ側は胴部に位置するように配慮して中吊り１７が形成される。
【００５１】
次いで、図１１に分解して示すように、中吊り１７の一側縁を前部シート７における胸部中心ラインＬに、他側縁を後部シート８の背筋に相当する中心ラインＬ３にそれぞれ、適宜の治具を用いて高周波接合装置５０で接合される。こうして、胸部用中吊り１７がＰ１とＰ２の区間で接合されることとなる。
【００５２】
（上袋体部の外形ラインの画成）
図１２（ｂ）に示すように、中吊り１７で一体化された前部シート７と、後部シート８とは、各中心ラインＬとＬ３とを一致するように上下に重ねて揃える。この状態で、同図（ａ）に示す、外形ライン画成用の治具４１，４２を同図（ｂ）の破線で示す位置にあてがい、高周波接合装置５０を用いて接合と同時に裁断する。その後、図１３に示されるように、特に、首部、肩口、および胴部は適宜挟み等のカッター手段により接合ラインを裁断して開口させる。これにより、他の部分は溶着による接合ラインが存置された状態となり、上半身の体型を備えたマネキン１の仮上袋体部２Ａが形成されることとなる。
【００５３】
（リング掛け）
上記の首部、肩口、および胴部は、開口しているので、これらの部位には上記したように、蓋シート１４，１５，１６（図１，図２参照）がリング掛けにより接合して塞ぐ必要がる。このリング掛け工程は、次のようにして行われる。すなわち、図１４に示すように、例えば、上袋体部２の首部４６を塞ぐ場合には、図１４（ａ）のように、首部の開口面積に略見合った大きさの環状のリング（治具）４７を用意する。これを、同図（ｂ）に示すように、対応する首部４６に嵌め、首部４６の端縁を外側へ折り返す。次いで、これを、同図（ｃ）のように、蓋シート１４の上に載せ、リング４７に高周波接合装置５０（図５（ｂ）参照）を接触させてプレスしながら、蓋シート１４を首部４６に接合する。
【００５４】
このように、他の肩口および胴部にも、これと同様の方法で蓋シート１５，１６が接合されていき、気密性を備えた上袋体部２が袋体として形成されることとなる。
【００５５】
なお、胴部の蓋シート１６には、合成樹脂製の一方向弁としての空気注入バルブ４が設けられるが、この取り付け方法は、自体公知の手法により高周波接合して蓋シート１６に一体的に取り付けられるので、その取り付け方法の説明は割愛する。
【００５６】
このようにして、上袋体部２は気密性を保持した袋体として形成され、空気注入バルブ４から空気を注入して膨張させることで、図２（ａ）に示されるようなマネキン１の上半身が製作されることとなる。
【００５７】
（下袋体部の製作）
図３に示すように、下袋体部３も、上記上袋体部２と同様にして高周波接合装置５０により、治具を用いて気密性を備えた袋体として形成される。すなわち、股上用マチ２０が、下袋体部３のベース部を形成する左右大腿部シート２１，２２の間の股上に沿って、換言すると、前部（正面）と背面（後部）とに亘る股間に沿ってほぼＵ字状に挿入され、この両側縁にそれぞれ左大腿部シート２１と右大腿部シート２２とが接合される。この股上用マチ２０も同様に、自らが面直角方向にＵ字形状に屈曲することで、左右大腿部シート２１、２２と湾曲した接合ラインで接合される。
【００５８】
また、下袋体部３の内部には、図３（ｃ）のハッチングで示すように、股上の少なくとも正面と背面との間に、シート状の股上用中吊り２３が接合配置される。
【００５９】
上記股上用マチ２０および股上用中吊り２３の接合は、適宜の形状を有する不図示のマチ接合用治具および外形ライン画成用治具を使用して上記上袋体部２を製作した場合と同様の手法により、気密性を備えた下袋体部３が製作されていく。
【００６０】
（上袋体部と下袋体部との結合）
上記のように個別に模造された上袋体部２および下袋体部３は、空気を注入して膨張させた状態で、それぞれ胴部５，６を互いに結合する。この結合は、溶着、接着等適宜の結合手段により合体させる。これにより、図１に示すようなマネキン１を得ることができる。
【００６１】
本実施形態に係る空気注入式マネキン１およびその製造方法によれば、所定形状に湾曲形成した胸部用マチ１３および股上用マチ２０を上袋体部２および下袋体部３にそれぞれ容易に設けることができ、この結果、膨らみが豊かで、乳頭部が外方へ拡がるのを阻止するリアルな人体に近似するみぞおちを備えた胸元の美しい胸部と、背中の窪みと、幅のある股と、美しいヒップラインとを備えたマネキンを簡易に実現できる。したがって、空気注入式マネキン１に衣装を着せて飾った場合には、マネキン１それ自体が極力リアルなボデーラインを形成しているので、マネキン１に着せた衣服の商品の見栄えを向上でき、ブランドイメージを損ねる事態を効果的に回避できる効果を有する。
【００６２】
以上、本発明に係る空気注入式マネキンおよびその製造方法を、一実施形態により詳述してきたが、具体的な構成はこの実施形態に限られるものでなく、本発明の要旨を逸脱しない範囲の設計変更等も本発明の範囲に含まれるものである。
【００６３】
すなわち、上記実施形態では、マチを胸部と股上に設けた場合を例に挙げて説明したが、この代わりに臀部やそれ以外の部位にも設けてよいのは勿論である。
【００６４】
また、女性用のマネキン１で説明したが、男性用、幼児用等のマネキンにも適用可能であるのは言うまでもない。
【００６５】
また、治具３０，４１，４２，４５には、カッターを形成したが、カッターを形成しない態様でもよい。この場合には、シートの接合時には、余分で不要なシートは挟み等で切り落として行う。
【００６６】
また、上袋体部２の前部シート７は、外側シート１１と、内側シート１２とで形成したが、シートの数はこれに限定されないことは勿論である。同様に、下袋体部３についても同じである。
【００６７】
また、上袋体部２および下袋体部３を結合する際に、ジッパーやマジックファスナー（登録商標）等の接着手段を用いる構成とすることもできる。係る構成にすることで、合体された上袋体部２と下袋体部３とを分離して引き離し、内部空気を抜気することで収縮させることができ、それらの嵩が小さくなり、運搬に便利となる。
【産業上の利用可能性】
【００６８】
本発明は、空気注入式マネキンの制作に利用可能である。
【図面の簡単な説明】
【００６９】
【図１】一実施形態に係る空気注入式マネキンの完成品を示す外観斜視図である。
【図２】上記一実施形態における上袋体部に係り、（ａ）は上袋体部の外観斜視図、（ｂ）は上袋体部を側面からみた透視断面図、（ｃ）は（ｂ）のＡ−Ａ線における断面図である。
【図３】上記一実施形態における下袋体部に係り、（ａ）は下袋体部を斜め前方からみた外観斜視図、（ｂ）は下袋体部を斜め後方からみた外観斜視図、（ｃ）は下袋体部を側面からみた透視断面図である。
【図４】上記マネキンの製造方法に係り、治具とシートとの関係を説明する外観説明図である。
【図５】（ａ）は外側シートに胸部用マチが接合される状態を説明する外観説明図、（ｂ）は（ａ）のＡ１−Ａ１における矢視拡大断面図である。
【図６】同じく、外側シートに胸部用マチが接合された後に、余分なシートが裁断される状態を説明する説明図である。
【図７】同じく、胸部用マチに内側シートが接合される様子を示す説明図である。
【図８】同じく、胸部用マチが接合されて左前部シートが形成された状態を示し、（ａ）は裏返る前における左前部シート、（ｂ）は裏返しにした後の状態を示す左前部シートの外観斜視図である。
【図９】同じく、左右の前部シートが接合して一体化される状態を示す説明図である。
【図１０】同じく、胸部用中吊りが形成される状態を示す説明図である。
【図１１】同じく、胸部用中吊りが前部シートと後部シートとに接合される状態を示す説明図である。
【図１２】（ａ）は外形ライン画成治具の外観図、（ｂ）はこの治具が用いられる場所を示す外観図である。
【図１３】同じく、外形ライン画成治具により形成された仮上袋体部の平面図である。
【図１４】同じく、リング掛けを説明する説明図である。
【図１５】従来技術を示す図である。
【符号の説明】
【００７０】
１  空気注入式マネキン
２  上袋体部
３  下袋体部
４  空気注入バルブ
５、６  胴部
７  前部シート
８  後部シート
９  左半部シート
１０  右半部シート
１１  内側シート
１２  外側シート
１３  胸部用マチ
１４、１５，１６  蓋シート
１７  胸部用中吊り
２０  股上用マチ
２３  股上用中吊り  
３０  マチ接合用治具
３１  湾曲部
３２  カッター部
４１，４２  治具
４３，４４  カッター部
４７  リング
５０  高周波接合装置
２Ａ  仮上袋体部
Ｂ、Ｃ  残余部分  
Ｄ  所定幅寸法
Ｌ  胸部中心線
Ｌ１、Ｌ２  接合ライン
Ｌ３  背筋に相当する中心ライン
Ｌ４  接合ライン
【図１】
0005298275.tif 000002
【図２】
0005298275.tif 000003
【図３】
0005298275.tif 000004
【図４】
0005298275.tif 000005
【図５】
0005298275.tif 000006
【図６】
0005298275.tif 000007
【図７】
0005298275.tif 000008
【図８】
0005298275.tif 000009
【図９】
0005298275.tif 000010
【図１０】
0005298275.tif 000011
【図１１】
0005298275.tif 000012
【図１２】
0005298275.tif 000013
【図１３】
0005298275.tif 000014
【図１４】
0005298275.tif 000015
【図１５】
0005298275.tif 000016